(57)【特許請求の範囲】
【請求項１】
一対の切欠きを有する略円形のフィルターが着脱可能に装着されるケース部材と、
前記フィルターの一対の切欠きを結んだ線を回転軸として前記ケース部材に回転可能に取り付けられ、装着された前記フィルターを押える押さえ部材と、
中央部が屈曲し両端が前記回転軸上に取り付けられる棒状の回転軸部材と、
を備えたフィルター装置において、
前記押さえ部材は、装着された前記フィルターを固定するフィルター固定位置と前記フィルターの固定を解除するフィルター固定解除位置との間で回動可能であり、かつ、前記ケース部材に対する回転がロックされる回転ロック状態と前記回転のロックが解除される回転アンロック状態との間で変形可能であり、
前記フィルター固定位置において、前記押さえ部材は前記回転ロック状態となり、前記回転ロック状態を前記回転アンロック状態にすることにより、前記押さえ部材は前記フィルター固定位置から前記フィルター固定解除位置へ回動可能になり、
前記押さえ部材は、前記フィルターの形状に対応した屈曲形状を有し、前記押さえ部材の両端部には、前記押さえ部材を弾性力に抗して変形させるつまみ操作を行うためのつまみ部が突出して設けられており、
前記フィルター固定位置において、前記つまみ操作を行なっていない状態では、前記つまみ部が前記ケース部材に係止して、前記押さえ部材が前記回転ロック状態となり、
前記フィルター固定位置において、前記つまみ操作を行った状態では、前記つまみ部の係止が解除されて、前記押さえ部材が前記回転アンロック状態となり、
前記押さえ部材は、前記フィルターの少なくとも半分の周縁部を押える第１押さえ部材と、前記フィルターの残り半分の周縁部を押える第２押さえ部材とを含み、
前記第１押さえ部材および前記第２押さえ部材は、
前記フィルター固定位置において、前記ケース部材に対して前記回転ロック状態となるとともに互いの相対回転がロックされた相対回転ロック状態となり、
前記回転ロック状態を前記回転アンロック状態にすることにより、互いの相対回転のロックが解除された相対回転アンロック状態となって、前記フィルター固定位置から前記フィルター固定解除位置へ回動可能になり、
前記フィルター固定解除位置において、前記ケース部材に対して前記回転アンロック状態となるとともに互いの相対回転がロックされた相対回転ロック状態になることを特徴とするフィルター装置。
【請求項２】
前記第１押さえ部材は、前記フィルターの少なくとも半分の周縁部に対応した屈曲形状を有し、両端部の上部から突出する係止片と、両端部の下部に形成された第１テーパ部とを備え、
前記第２押さえ部材は、前記フィルターの残り半分の周縁部に対応した屈曲形状を有し、両端部の上部に設けられた第１係止部と、前記第１係止部との間に段差部を介して設けられた第２係止部と、両端部の下部に形成された第２テーパ部とを備え、
前記第１押さえ部材および前記第２押さえ部材は、
前記フィルター固定位置において、前記第１押さえ部材および前記第２押さえ部材の下面が前記フィルターの上面に当接して前記回転ロック状態となるとともに、前記係止片が前記第１係止部に係止して前記相対回転ロック状態となり、
前記回転ロック状態を前記回転アンロック状態にすることにより、前記係止片の前記第１係止部への係止が解除されて、前記相対回転ロック状態が前記相対回転アンロック状態となり、
前記フィルター固定位置から前記フィルター固定解除位置まで回動させたときに、前記係止片が前記段差部を乗り越えて前記第２係止部に係止して、前記相対アンロック状態が前記相対回転ロック状態となり、
前記フィルター固定解除位置において、前記第１テーパ部および前記第２テーパ部の下面と前記フィルターの上面との間に隙間が形成されていることを特徴とする請求項１に記載のフィルター装置。
【請求項３】
前記回転軸部材は、落下防止用または紛失防止用のチェーンが取り付けられるチェーン取付け部を兼ねていることを特徴とする請求項１または請求項２に記載のフィルター装置。
【発明の詳細な説明】
【技術分野】
【０００１】
本発明は、フィルター交換の作業性を向上したフィルター装置に関するものである。
【背景技術】
【０００２】
従来、フィルター装置の構造として、振動やファンの風圧等でフィルターが外れるのを防止するために、押え具でフィルターを押さえる構造が知られている（例えば特許文献１参照）。従来のフィルター装置では、取付ケースの側面に押え具を挿入する取付孔が設けられている。そして、取付けの作業を行うときには、フィルターを押さえながら取付孔に押え具を挿入し、取付ケースのフランジと押え具とによって吸込開口部を挟み込み、取付ケースがフィルターとともに取り付けられる。
【特許文献１】特開平９−１４２１４０号公報
【発明の開示】
【発明が解決しようとする課題】
【０００３】
しかしながら、従来のフィルター装置においては、フィルター交換の作業を行う際、押え具を取付ケースから取り外したときに、押え具などの部品が落下したり紛失したりするおそれがあるという問題があった。また、従来のフィルター装置では、フィルター交換の作業を片手で行うのは容易でないという問題があった。特に、脚立などを用いた高所での作業の場合には、フィルター交換の作業を両手で行うことは、作業者の安全性の観点からも好ましくない。
【０００４】
本発明は、上記従来の問題を解決するためになされたもので、フィルター交換の作業を容易に行うことのできるフィルター装置を提供することを目的とする。
【課題を解決するための手段】
【０００５】
本発明のフィルター装置は、フィルターが着脱可能に装着されるケース部材と、前記ケース部材に回転軸を中心に回転可能に取り付けられ、装着された前記フィルターを押える押さえ部材と、を備えたフィルター装置において、前記押さえ部材は、装着された前記フィルターを固定するフィルター固定位置と前記フィルターの固定を解除するフィルター固定解除位置との間で回動可能であり、かつ、前記ケース部材に対する回転がロックされる回転ロック状態と前記回転のロックが解除される回転アンロック状態との間で変形可能であり、前記フィルター固定位置において、前記押さえ部材は前記回転ロック状態となり、前記回転ロック状態を前記回転アンロック状態にすることにより、前記押さえ部材は前記フィルター固定位置から前記フィルター固定解除位置へ回動可能になる構成を有している。
【０００６】
この構成により、押さえ部材はフィルター固定位置で回転ロック状態となっているので、この押さえ部材によってフィルターはしっかりと押さえられている。フィルター交換の作業を行うときには、まず、フィルター固定位置で回転ロック状態となっている押さえ部材を回転アンロック状態にし、フィルター固定位置からフィルター固定解除位置まで回動させる。押さえ部材をフィルター固定解除位置にした状態で、フィルターの交換を行い、その後、押さえ部材をフィルター固定解除位置からフィルター固定位置まで回動させると、押さえ部材は回転ロック状態となる。このようにして、フィルター交換の作業を容易に行うことができる。したがって、フィルター交換の作業を片手でも容易に行うことができ、高所におけるフィルター交換作業の安全性が向上する。
【０００７】
また、本発明のフィルター装置では、前記押さえ部材は、前記フィルターの形状に対応した屈曲形状を有し、前記押さえ部材の両端部には、前記押さえ部材を弾性力に抗して変形させるつまみ操作を行うためのつまみ部が突出して設けられており、前記フィルター固定位置において、前記つまみ操作を行なっていない状態では、前記つまみ部が前記ケース部材に係止して、前記押さえ部材が前記回転ロック状態となり、前記フィルター固定位置において、前記つまみ操作を行った状態では、前記つまみ部の係止が解除されて、前記押さえ部材が前記回転アンロック状態となる構成を有している。
【０００８】
この構成により、フィルター交換の作業を行うときには、まず、フィルター固定位置でつまみ操作を行って、つまみ部の係止を解除し、押さえ部材を回転アンロック状態にする。そして、押さえ部材をフィルター固定位置からフィルター固定解除位置まで回動させて、フィルターの交換を行い、その後、押さえ部材をフィルター固定解除位置からフィルター固定位置まで回動させる。このとき、フィルター固定位置でつまみ操作を行っていなければ、押さえ部材は回転ロック状態となる。このようにして、フィルター交換の作業を容易に行うことができる。
【０００９】
また、本発明のフィルター装置では、前記押さえ部材は、前記フィルターの少なくとも半分の周縁部を押える第１押さえ部材と、前記フィルターの残り半分の周縁部を押える第２押さえ部材とを含み、前記第１押さえ部材および前記第２押さえ部材は、前記フィルター固定位置において、前記ケース部材に対して前記回転ロック状態となるとともに互いの相対回転がロックされた相対回転ロック状態となり、前記回転ロック状態を前記回転アンロック状態にすることにより、互いの相対回転のロックが解除された相対回転アンロック状態となって、前記フィルター固定位置から前記フィルター固定解除位置へ回動可能になり、前記フィルター固定解除位置において、前記ケース部材に対して前記回転アンロック状態となるとともに互いの相対回転がロックされた相対回転ロック状態になる構成を有している。
【００１０】
この構成により、第１押さえ部材と第２押さえ部材はフィルター固定位置で回転ロック状態かつ相対回転ロック状態となっているので、第１押さえ部材および第２押さえ部材によってフィルターはしっかり押さえられている。フィルター交換の作業を行うときには、まず、フィルター固定位置で回転ロック状態となっている第１押さえ部材と第２押さえ部材を回転アンロック状態にすることにより、相対回転ロック状態を相対回転アンロック状態にし、第１押さえ部材と第２押さえ部材をフィルター固定位置からフィルター固定解除位置まで相対的に回動させる。フィルター固定解除位置では、第１押さえ部材と第２押さえ部材は回転アンロック状態かつ相対回転ロック状態になる。この状態で、フィルターの交換を行い、その後、第１押さえ部材と第２押さえ部材を相対回転アンロック状態にして、フィルター固定解除位置からフィルター固定位置まで回動させ、押さえ部材は回転ロック状態かつ相対回転ロック状態となる。このようにして、フィルター交換の作業を容易に行うことができる。
【００１１】
また、本発明のフィルター装置では、前記第１押さえ部材は、前記フィルターの少なくとも半分の周縁部に対応した屈曲形状を有し、両端部の上部から突出する係止片と、両端部の下部に形成された第１テーパ部とを備え、前記第２押さえ部材は、前記フィルターの残り半分の周縁部に対応した屈曲形状を有し、両端部の上部に設けられた第１係止部と、前記第１係止部との間に段差部を介して設けられた第２係止部と、両端部の下部に形成された第２テーパ部とを備え、前記第１押さえ部材および前記第２押さえ部材は、前記フィルター固定位置において、前記第１押さえ部材および前記第２押さえ部材の下面が前記フィルターの上面に当接して前記回転ロック状態となるとともに、前記係止片が前記第１係止部に係止して前記相対回転ロック状態となり、前記回転ロック状態を前記回転アンロック状態にすることにより、前記係止片の前記第１係止部への係止が解除されて、前記相対回転ロック状態が前記相対回転アンロック状態となり、前記フィルター固定位置から前記フィルター固定解除位置まで回動させたときに、前記係止片が前記段差部を乗り越えて前記第２係止部に係止して、前記相対アンロック状態が前記相対回転ロック状態となり、前記フィルター固定解除位置において、前記第１テーパ部および前記第２テーパ部の下面と前記フィルターの上面との間に隙間が形成されている構成を有している。
【００１２】
この構成により、フィルター固定位置で第１押さえ部材と第２押さえ部材の下面がフィルターの上面に当接し、かつ、係止片が第１係止部に係止しているので、第１押さえ部材および第２押さえ部材によってフィルターはしっかり押さえられている。回転ロック状態を回転アンロック状態にすることにより、係止片の第１係止部への係止が解除され、第１押さえ部材と第２押さえ部材が相対回転アンロック状態になる。第１押さえ部材と第２押さえ部材をフィルター固定解除位置まで相対的に回動させると、係止片が段差部を乗り越えて前記第２係止部に係止して、第１押さえ部材と第２押さえ部材が相対回転ロック状態になる。フィルター固定解除位置では、第１テーパ部と第２テーパ部の下面とフィルターの上面との間に隙間が形成されており、その隙間を用いてフィルターの交換を行うことができる。このようにして、フィルター交換の作業を容易に行うことができる。
【００１３】
また、本発明のフィルター装置では、前記回転軸は、落下防止用または紛失防止用のチェーンが取り付けられるチェーン取付け部を兼ねている構成を有している。
【００１４】
この構成により、回転軸が、押さえ部材を回転させるときの中心軸としての役割だけでなく、チェーン取付け部としての役割を有している。この回転軸にチェーンが取り付けられていることにより、フィルター交換の作業中に部品の落下や紛失を防止することができる。
【発明の効果】
【００１５】
本発明は、フィルター固定位置とフィルター固定解除位置との間で回動可能であり、かつ、回転ロック状態と回転アンロック状態との間で変形可能である押さえ部材を設けることにより、フィルター交換の作業を容易に行うことができるという効果を有するフィルター装置を提供することができるものである。
【発明を実施するための最良の形態】
【００１６】
以下、本発明の実施の形態のフィルター装置について、図面を用いて説明する。本実施の形態では、エアコン装置や空気清浄装置などに用いられる防塵用フィルター装置の場合を例示する。
【００１７】
本発明の実施の形態のフィルター装置の構成を、図１〜図３を用いて説明する。図１は、本実施の形態のフィルター装置の斜視図であり、図２は、フィルター装置の機器本体への取付けの様子を示す説明図である。また、図３は、フィルター装置の分解斜視図である。
【００１８】
図１〜図３に示すように、フィルター装置１のケース部材２には、略円形のフィルター３が装着される略円形の凹部４が設けられている。このフィルター３には、一対の切欠き５が設けられており、ケース部材の凹部４には、フィルター３の切欠き５に対応する位置に一対のリブ６が内側に向けて突出して設けられている（図３参照）。フィルター３を凹部４に装着するときに、フィルター３の切欠き５と凹部４のリブ６を嵌め合せることにより、フィルター３の位置決めをすることができる。また、ケース部材２の底面には、複数の通気孔７が設けられている。
【００１９】
ケース部材２には、凹部４に装着されたフィルター３を押さえる二つの押さえ部材（第１押さえ部材８および第２押さえ部材９）が取り付けられている。この場合、第１押さえ部材８と第２押さえ部材９に軸挿通孔１０が設けられており、ケース部材２のリブ６に軸孔１１が設けられている。そして、回転軸部材１２を軸挿通孔１０を通して軸孔１１に差し込むことにより、第１押さえ部材８と第２押さえ部材９がケース部材２に対して回転可能に取り付けられている。
【００２０】
ケース部材２に取り付けられた押さえ部材（第１押さえ部材８と第２押さえ部材９）は、凹部４に装着されたフィルター３を固定するフィルター固定位置（図７参照）と、フィルター３の固定を解除するフィルター固定解除位置（図８参照）との間で回動可能である。また、この押さえ部材（第１押さえ部材８と第２押さえ部材９）は、ケース部材２に対する回転がロックされる回転ロック状態と、回転のロックが解除される回転アンロック状態との間で変形可能である。
【００２１】
第１押さえ部材８は、略円形のフィルター３の略半分の周縁部に対応した形状（略半円の円弧形状）を有している。第１押さえ部材８の両端部には、それぞれ上部に突出する一対の係止片１３が設けられている。この係止片１３の先端部には、つまみ部１４が屈曲して形成されている。このつまみ部１４は、後述するように第１押さえ部材８を弾性力に抗して変形させるつまみ操作を行うときに取手の役割を果たす。また、第１押さえ部材８の両端部の下部には、それぞれ第１テーパ部１５が形成されている。
【００２２】
第２押さえ部材９は、略円形のフィルター３の略残り半分の周縁部に対応した形状（略半円の円弧形状）を有している。第２押さえ部材９の両端部の上部には、第１押さえ部材８の係止片１３が係止可能な二つの係止部（第１係止部１６および第２係止部１７）が設けられており、第１係止部１６と第２係止部１７との間には、段差部１８が設けられている（図７および図８参照）。また、第２押さえ部材９の両端部の下部には、それぞれ第２テーパ部１９が形成されている。
【００２３】
回転軸部材１２は、中央部が屈曲した棒状の形状を有している。この回転軸部材１２には、落下防止用または紛失防止用のチェーン２０が取り付けられている。つまり、この回転軸部材１２は、チェーン取付け部を兼ねているともいえる。このフィルター装置１は、エアコン装置や空気清浄装置などの機器本体２１に着脱可能に取り付けられている（図２参照）。落下防止用または紛失防止用のチェーン２０は、この機器本体２１に接続されている。
【００２４】
以上のように構成されたフィルター装置１について、図４〜図８を用いてその動作を説明する。ここでは、本発明の特徴であるフィルター交換時の動作を中心に説明する。
【００２５】
本実施の形態のフィルター装置１においてフィルター交換作業を行うときには、まず、エアコン装置や空気清浄装置などの機器本体２１からフィルター装置１を取り外す。そして、図４において矢印で示すように、第１押さえ部材８のつまみ部１４を両側からつまんで、第１押さえ部材８を弾性力に抗して変形させる（内側に向けて撓ませる）つまみ操作を行う。このつまみ操作は、作業者が片手で行うことができる。
【００２６】
機器本体２１からフィルター装置１を取り外した状態では、押さえ部材（第１押さえ部材８と第２押さえ部材９）はフィルター固定位置にある（図７参照）。フィルター固定位置では、第１押さえ部材８と第２押さえ部材９の下面がフィルター３の上面に当接しており、つまみ操作を行っていない状態では、第１押さえ部材８の係止片１３は第２押さえ部材９の第１係止部１６に係止している。
【００２７】
したがって、この状態（フィルター固定位置において、つまみ操作を行っていない状態）では、押さえ部材（第１押さえ部材８と第２押さえ部材９）のケース部材２に対する回転はロックされている。つまり、押さえ部材（第１押さえ部材８と第２押さえ部材９）は、回転ロック状態となっている。また、このとき、第１押さえ部材８と第２押さえ部材９は互いに相対回転がロックされている。つまり、押さえ部材（第１押さえ部材８と第２押さえ部材９）は、相対回転ロック状態となっている。なお、この場合、第１押さえ部材８のつまみ部１４は、第２押え部材の第１係止部１６を介して、ケース部材２に係止しているともいえる。
【００２８】
このような状態で、つまみ操作を行うと、図５において破線で示すように第１押さえ部材８は弾性力に抗して内側に移動し、第１押さえ部材８の係止片１３と第２押さえ部材９の第１係止部１６との係止が解除される。その結果、第１押さえ部材８と第２押さえ部材９の相対回転のロックが解除される。つまり、押さえ部材（第１押さえ部材８と第２押さえ部材９）は、相対回転アンロック状態となる。また、このとき、押さえ部材（第１押さえ部材８と第２押さえ部材９）のケース部材２に対する回転のロックが解除される。つまり、押さえ部材（第１押さえ部材８と第２押さえ部材９）は、回転アンロック状態になる。このように、つまみ操作を行うことによって、押さえ部材（第１押さえ部材８と第２押さえ部材９）は、フィルター固定位置からフィルター固定解除位置へ回動可能になる。
【００２９】
そして、つまみ操作を行った状態で、図６において矢印で示すように、第１押さえ部材８をフィルター固定解除位置まで回動させる。このとき、つまみ操作を行っているので、第１押さえ部材８は内側に撓んだ状態となっており、第１押さえ部材８の係止片１３は第２押さえ部材９の段差部１８を乗り越える。その後、つまみ操作を終了すると、第１押さえ部材８は弾性力によって元の形状に復元し、第１押さえ部材８の係止片１３は第２係止部１７に係止する（図８参照）。この第１押さえ部材８の回動操作も、作業者が片手で行うことができる。
【００３０】
フィルター固定解除位置では、押さえ部材（第１押さえ部材８と第２押さえ部材９）が、ケース部材２に対して回転アンロック状態になるとともに、互いの相対回転がロックされた相対回転ロック状態となる。また、図８に示すように、フィルター固定解除位置では、第１押さえ部材８の第１テーパ部１５と第２押さえ部材９の第２テーパ部１９の下面とフィルター３の上面との間に隙間が形成される。そして、この隙間を用いてフィルター３の交換が行われる。
【００３１】
フィルター３の交換を行った後、これまでと逆の手順を行って、押さえ部材（第１押さえ部材８と第２押さえ部材９）をフィルター固定解除位置からフィルター固定位置へ回動させる。
【００３２】
具体的には、フィルター固定解除位置において、つまみ操作を行うことにより、第１押さえ部材８の係止片１３と第２押さえ部材９の第２係止部１７との係止を解除する。そして、つまみ操作を行った状態で、第１押さえ部材８をフィルター固定位置まで回動させる。このときも、つまみ操作を行っているので、第１押さえ部材８の係止片１３は第２押さえ部材９の段差部１８を乗り越える。その後、つまみ操作を終了すると、第１押さえ部材８の係止片１３は第１係止部１６に係止する。このようにして、押さえ部材（第１押さえ部材８と第２押さえ部材９）をフィルター固定にする。この操作も、作業者が片手で行うことができる。
【００３３】
そして最後に、このように押さえ部材（第１押さえ部材８と第２押さえ部材９）をフィルター固定位置にしたフィルター装置１を、機器本体２１に取り付ける（図２参照）。
【００３４】
このような本発明の実施の形態のフィルター装置１によれば、フィルター固定位置とフィルター固定解除位置との間で回動可能であり、かつ、回転ロック状態と回転アンロック状態との間で変形可能である押さえ部材（第１押さえ部材８と第２押さえ部材９）を設けることにより、フィルター交換の作業を容易に行うことができる。
【００３５】
すなわち本実施の形態では、押さえ部材（第１押さえ部材８と第２押さえ部材９）はフィルター固定位置で回転ロック状態となっているので、この押さえ部材（第１押さえ部材８と第２押さえ部材９）によってフィルター３はしっかりと押さえられている。フィルター交換の作業を行うときには、まず、フィルター固定位置で回転ロック状態となっている押さえ部材（第１押さえ部材８と第２押さえ部材９）を回転アンロック状態にし、フィルター固定位置からフィルター固定解除位置まで回動させる。押さえ部材（第１押さえ部材８と第２押さえ部材９）をフィルター固定解除位置にした状態で、フィルター３の交換を行い、その後、押さえ部材（第１押さえ部材８と第２押さえ部材９）をフィルター固定解除位置からフィルター固定位置まで回動させると、押さえ部材（第１押さえ部材８と第２押さえ部材９）は回転ロック状態となる。このようにして、フィルター交換の作業を容易に行うことができる。したがって、フィルター交換の作業を片手でも容易に行うことができ、高所におけるフィルター交換作業の安全性が向上する。
【００３６】
具体的には、フィルター交換の作業を行うときには、まず、フィルター固定位置でつまみ操作を行って、つまみ部１４（係止片１３）の係止を解除し、押さえ部材（第１押さえ部材８と第２押さえ部材９）を回転アンロック状態にする。そして、押さえ部材（第１押さえ部材８と第２押さえ部材９）をフィルター固定位置からフィルター固定解除位置まで回動させて、フィルター３の交換を行い、その後、押さえ部材（第１押さえ部材８と第２押さえ部材９）をフィルター固定解除位置からフィルター固定位置まで回動させる。このとき、フィルター固定位置でつまみ操作を行っていなければ、押さえ部材（第１押さえ部材８と第２押さえ部材９）は回転ロック状態となる。このようにして、フィルター交換の作業を容易に行うことができる。
【００３７】
本実施の形態では、第１押さえ部材８と第２押さえ部材９はフィルター固定位置で回転ロック状態かつ相対回転ロック状態となっているので、第１押さえ部材８および第２押さえ部材９によってフィルター３はしっかり押さえられている。フィルター交換の作業を行うときには、まず、フィルター固定位置で回転ロック状態となっている第１押さえ部材８と第２押さえ部材９を回転アンロック状態にすることにより、相対回転ロック状態を相対回転アンロック状態にし、第１押さえ部材８と第２押さえ部材９をフィルター固定位置からフィルター固定解除位置まで相対的に回動させる。フィルター固定解除位置では、第１押さえ部材８と第２押さえ部材９は回転アンロック状態かつ相対回転ロック状態になる。この状態で、フィルター３の交換を行い、その後、第１押さえ部材８と第２押さえ部材９を相対回転アンロック状態にして、フィルター固定解除位置からフィルター固定位置まで回動させ、押さえ部材は回転ロック状態かつ相対回転ロック状態となる。このようにして、フィルター交換の作業を容易に行うことができる。
【００３８】
具体的には、フィルター固定位置で第１押さえ部材８と第２押さえ部材９の下面がフィルター３の上面に当接し、かつ、係止片１３が第１係止部１６に係止しているので、第１押さえ部材８および第２押さえ部材９によってフィルター３はしっかり押さえられている。回転ロック状態を回転アンロック状態にすることにより、係止片１３の第１係止部１６への係止が解除され、第１押さえ部材８と第２押さえ部材９が相対回転アンロック状態になる。第１押さえ部材８と第２押さえ部材９をフィルター固定解除位置まで相対的に回動させると、係止片１３が段差部１８を乗り越えて前記第２係止部１７に係止して、第１押さえ部材８と第２押さえ部材９が相対回転ロック状態になる。フィルター固定解除位置では、第１テーパ部１５と第２テーパ部１９の下面とフィルター３の上面との間に隙間が形成されており、その隙間を用いてフィルター３の交換を行うことができる。このようにして、フィルター交換の作業を容易に行うことができる。
【００３９】
さらに本実施の形態では、回転軸部材１２が、押さえ部材（第１押さえ部材８と第２押さえ部材９）を回動させるときの中心軸としての役割だけでなく、チェーン取付け部としての役割を有している。この回転軸にチェーン２０が取り付けられていることにより、フィルター交換の作業中に部品の落下や紛失を防止することができる。
【００４０】
以上、本発明の実施の形態を例示により説明したが、本発明の範囲はこれらに限定されるものではなく、請求項に記載された範囲内において目的に応じて変更・変形することが可能である。
【００４１】
例えば、以上の説明では、押さえ部材が二つの押さえ部材（第１押さえ部材８と第２押さえ部材９）である場合について説明したが、本発明の範囲はこれに限定されるものではなく、押さえ部材は一つであってもよい。
【００４２】
以下、図９および図１０を用いて、押さえ部材が一つのフィルター装置２２の例（変形例）について説明する。なお、ここでは、この変形例が、図１〜図８のフィルター装置１と相違する点を中心に説明する。つまり、ここで特に言及しない限り、変形例の構成および動作は、図１〜図８のフィルター装置１と同様である。
【００４３】
図９は、フィルター装置の変形例の斜視図であり、図１０は、フィルター装置の変形例の分解斜視図である。図９および図１０に示すように、この変形例のフィルター装置２２には、押さえ部材として、第１押さえ部材８のみが備えられており、第２押さえ部材が備えられていない。その代わりに、ケース部材２の凹部４に、フィルター３が差し込まれるフィルター差込部２３が設けられている。このフィルター差込部２３は、差し込まれたフィルター３を押さえる機能を有しており、第２押さえ部材としての役割を果たしている。また、この変形例では、図１〜図８のフィルター装置１の第２押さえ部９と同様の第１係止部２４と第２係止部２５と段差部２６が、ケース部材２のリブ６に設けられている。これらの第１係止部２４と第２係止部２５と段差部２６は、図１〜図８のフィルター装置１の第２押え部材９の第１係止部１６と第２係止部１７と段差部１８と同様の機能を有している。このような変形例のフィルター装置２２によっても、図１〜図８のフィルター装置１と同様の作用効果が奏される。
【産業上の利用可能性】
【００４４】
以上のように、本発明にかかるフィルター装置は、フィルター交換の作業を容易に行うことができるという効果を有し、エアコン装置や空気清浄装置などに用いられる防塵用フィルター装置等として有用である。
【図面の簡単な説明】
【００４５】
【図１】本実施の形態におけるフィルター装置の斜視図
【図２】フィルター装置の機器本体への取付けの様子を示す説明図
【図３】フィルター装置の分解斜視図
【図４】フィルター交換の動作（つまみ操作）を説明するための斜視図
【図５】フィルター交換の動作（つまみ操作）を説明するための側面図
【図６】フィルター交換の動作（第１押さえ部材の回動）を説明するための斜視図
【図７】フィルター固定位置の説明をするための側面図
【図８】フィルター固定解除位置の説明をするための側面図
【図９】フィルター装置の変形例の斜視図
【図１０】フィルター装置の変形例の分解斜視図
【符号の説明】
【００４６】
１  フィルター装置
２  ケース部材
３  フィルター
６  リブ
８  第１押さえ部材
９  第２押さえ部材
１０  軸挿通孔
１１  軸孔
１２  回転軸部材
１３  係止片
１４  つまみ部
１５  第１テーパ部
１６  第１係止部
１７  第２係止部
１８  段差部
１９  第２テーパ部
２０  チェーン
２１  機器本体
２２  フィルター装置
２３  フィルター差込部
２４  第１係止部
２５  第２係止部
２６  段差部
【図１】
0005284690.tif 000002
【図２】
0005284690.tif 000003
【図３】
0005284690.tif 000004
【図４】
0005284690.tif 000005
【図５】
0005284690.tif 000006
【図６】
0005284690.tif 000007
【図７】
0005284690.tif 000008
【図８】
0005284690.tif 000009
【図９】
0005284690.tif 000010
【図１０】
0005284690.tif 000011